(57)【要約】【課題】第１・第２洗浄部によって深さの異なる複数種類の容器の内周面全域及び外周面の口部側を良好に洗浄することができるようにしながらも、第２洗浄部を極力短くして洗浄時や保管時の取り扱いの容易化を図る。【解決手段】柄Ｈの先端部に、容器１の内周面を洗浄する第１洗浄部３が設けられ、柄Ｈの中間部には、容器１の外周面を洗浄する第２洗浄部４が設けられ、第１洗浄部３に対する第２洗浄部４の取付け位置を柄長手方向に沿って調節可能な位置調節手段Ａが設けられている。【選択図】図１
2010178844.tif 000002
【特許請求の範囲】
【請求項１】
容器の内周面を洗浄する第１洗浄部と容器の外周面を洗浄する第２洗浄部とが柄に設けられている洗浄具であって、
前記第１洗浄部と第２洗浄部との少なくとも一方の取付け位置を柄長手方向に沿って調節可能な位置調節手段が設けられている洗浄具。
【請求項２】
柄の先端部に、容器の内周面を洗浄する第１洗浄部が設けられ、前記柄の中間部には、容器の外周面を洗浄する第２洗浄部が設けられている洗浄具であって、
前記第１洗浄部に対する前記第２洗浄部の取付け位置を柄長手方向に沿って調節可能な位置調節手段が設けられている洗浄具。
【請求項３】
前記位置調節手段には、前記第２洗浄部を柄長手方向の複数位置で選択的に係合保持可能な係合部が設けられている請求項２記載の洗浄具。
【請求項４】
前記第２洗浄部を柄に対して回動操作自在に支持し、且つ、その回動方向の複数位置で選択的に係合保持可能な回動操作手段が設けられている請求項１〜３のいずれか１項に洗浄具。
【請求項５】
前記柄に対する第２洗浄部の向き姿勢を起伏操作によって変更する起伏操作手段が設けられている請求項１〜４のいずれか１項に記載の洗浄具。
【請求項６】
前記柄に対して第２洗浄部を容器の口径方向となる径方向に位置変更自在に支持する径方向位置変更手段が設けられている請求項１〜５のいずれか１項に記載の洗浄具。
【請求項７】
前記柄に対して第１洗浄部を脱着自在に連結する連結手段が設けられているとともに、前記柄には、取り外された第１洗浄部の基端部を柄長手方向に沿う姿勢で脱着自在に保持する保持部が設けられている請求項１〜６のいずれか１項に記載の洗浄具。
【請求項８】
前記柄における第２洗浄部の位置調整領域と把持部との間に位置する部位が、径方向外方側に向かって互いに逆向きに二度屈曲形成され、前記把持部が、径方向外方に偏心した位置において第２洗浄部の位置調節軸芯と略平行な軸芯又は位置調節軸芯に対して傾斜する軸芯周りで回転自在に構成されているとともに、前記柄における把持部よりも先端側の部位には、前記把持部を把持した側の手指で掛止可能な指掛け部が設けられている請求項２又は３記載の洗浄具。
【請求項９】
前記第２洗浄部が、前記保持部に保持された第１洗浄部の洗浄部分を受止め可能な受け部に構成されている請求項７記載の洗浄具。
【発明の詳細な説明】
【技術分野】
【０００１】
本発明は、哺乳瓶や水筒、コップ等の容器の内周面を洗浄する第１洗浄部と容器の外周面を洗浄する第２洗浄部とが柄に設けられている洗浄具に関する。
【背景技術】
【０００２】
容器の内周面と外周面とを同時に洗浄する洗浄具としては、従来、特許文献１，２に示すように、前記柄を、把持部となるグリップ部とこれの先端部に固定された長さの異なる略ｙ字状の一対の取付け部とから構成するとともに、前記柄の両取付け部には、容器の内周面を洗浄する第１洗浄部と容器の外周面を洗浄する第２洗浄部とを構成する一つのスポンジを折り曲げた状態で取付けたもの、或いは、特許文献３に示すように、前記柄となるグリップ部の先端部に、容器の内周面を洗浄する第１洗浄部を構成する長尺の洗浄ブラシと、容器の外周面を洗浄する第２洗浄部を構成する短尺の洗浄ブラシとを略ｙ字状に取付けたものが提案されている。
【先行技術文献】
【特許文献】
【０００３】
【特許文献１】実開昭５５−６８９６０号公報
【特許文献２】実開昭６２−１３０５５８号公報
【特許文献３】実用新案登録第３０４２９１８号公報
【発明の概要】
【発明が解決しようとする課題】
【０００４】
この種の洗浄具に装備される第１洗浄部は容器の内周面を洗浄対象とし、前記第２洗浄部は主として容器の外周面における口部側を洗浄対象とするため、第２洗浄部を第１洗浄部よりも短く構成している。しかし、深さ等が異なる多種多様の容器が存在するため、洗浄可能な容器の対象範囲を広げるためには第２洗浄部の長さを容器深さに差分だけ長く構成する必要があり、その結果、洗浄具全体が嵩張るため、洗浄時の取り扱いが不便になるとともに、保管スペースも大きくなる不都合がある。
【０００５】
本発明は、上述の実状に鑑みて為されたものであって、その主たる課題は、第１・第２洗浄部によって深さの異なる複数種類の容器の内外周面を良好に洗浄することができるようにしながらも、第２洗浄部を極力短くして洗浄時や保管時の取り扱いの容易化を図ることのできる洗浄具を提供する点にある。
【課題を解決するための手段】
【０００６】
本発明による第１の特徴構成は、容器の内周面を洗浄する第１洗浄部と容器の外周面を洗浄する第２洗浄部とが柄に設けられている洗浄具であって、
前記第１洗浄部と第２洗浄部との少なくとも一方の取付け位置を柄長手方向に沿って調節可能な位置調節手段が設けられている点にある。
【０００７】
上記構成によれば、前記位置調節手段によって第１洗浄部又は第２洗浄部若しくは第１・第２洗浄部の取付け位置を柄長手方向に沿って調節することにより、第１洗浄部と第２洗浄部との相対位置を変更することができるから、深さが異なる容器であっても、第１洗浄部で容器の洗浄対象内周面を確実に洗浄しながら第２洗浄部で容器外周面の洗浄対象部位を確実に洗浄することができる。
【０００８】
従って、第１・第２洗浄部によって深さの異なる複数種類の容器の内外周面の洗浄対象部位を確実に洗浄することができるものでありながら、第２洗浄部を極力短くして洗浄時や保管時の取り扱いの容易化を図ることができる。
【０００９】
本発明による第２の特徴構成は、柄の先端部に、容器の内周面を洗浄する第１洗浄部が設けられ、前記柄の中間部には、容器の外周面を洗浄する第２洗浄部が設けられている洗浄具であって、
前記第１洗浄部に対する第２洗浄部の取付け位置を柄長手方向に沿って調節可能な位置調節手段が設けられている点にある。
【００１０】
上記構成によれば、前記位置調節手段によって第１洗浄部に対する第２洗浄部の取付け位置を柄長手方向に沿って調節することにより、第１洗浄部と第２洗浄部との相対位置を変更することができるから、深さが異なる容器であっても、第１洗浄部で容器の洗浄対象内周面を確実に洗浄しながら第２洗浄部で容器外周面の洗浄対象部位を確実に洗浄することができる。
【００１１】
従って、第１・第２洗浄部によって深さの異なる複数種類の容器の内外周面の洗浄対象部位を確実に洗浄することができるものでありながら、第２洗浄部を極力短くして洗浄時や保管時の取り扱いの容易化を図ることができる。
【００１２】
本発明による第３の特徴構成は、前記位置調節手段に、前記第２洗浄部を柄長手方向の複数位置で選択的に係合保持可能な係合部が設けられている点にある。
【００１３】
上記構成によれば、容器の深さ、形状等に応じて第１洗浄部に対する第２洗浄部の取付け位置を柄長手方向に沿って複数段に調節することができるとともに、その各調整位置で第２洗浄部を係止保持することができるから、洗浄時における第２洗浄部の柄長手方向での位置ずれを抑制することができる。
【００１４】
本発明による第４の特徴構成は、前記第２洗浄部を柄に対して回動操作自在に支持し、且つ、その回動方向の複数位置で選択的に係合保持可能な回動操作手段が設けられている点にある。
【００１５】
上記構成によれば、容器の外周面における洗浄対象部位を容器軸芯方向（柄長手方向）に沿って洗浄する場合、柄の把持部は最も押し引き操作し易い姿勢に、且つ、容器は最も安定保持し易い姿勢に夫々維持しながらも、前記回動操作手段によって第２洗浄部を洗浄対象部位に確実、容易に位置させることができるとともに、洗浄時における第２洗浄部の回動手方向での位置ずれも抑制することができる。
【００１６】
本発明による第５の特徴構成は、前記柄に対する第２洗浄部の向き姿勢を起伏操作によって変更する起伏操作手段が設けられている点にある。
【００１７】
上記構成によれば、容器の外周面における口部から肩部までの距離が短く、且つ、肩部が傾斜又は湾曲している場合でも、前記起伏操作手段によって第２洗浄部を容器の傾斜又は湾曲肩部に沿って傾けることができるから、洗浄可能な容器の対象範囲を拡大することができる。
【００１８】
本発明による第６の特徴構成は、前記柄に対して第２洗浄部を容器の口径方向となる径方向に位置変更自在に支持する径方向位置変更手段が設けられている点にある。
【００１９】
上記構成によれば、容器の口径が異なる場合でも、前記径方向位置変更手段によって第２洗浄部を径方向に位置変更することにより、この第２洗浄部を容器の外周面の洗浄対称部位に確実に当て付けることができる。
【００２０】
本発明による第７の特徴構成は、前記柄に対して第１洗浄部を脱着自在に連結する連結手段が設けられているとともに、前記柄には、取り外された第１洗浄部の基端部を柄長手方向に沿う姿勢で脱着自在に保持する保持部が設けられている点にある。
【００２１】
上記構成によれば、非使用時には、前記柄から第１洗浄部を取り外すことができるとともに、この取り外された第１洗浄部の基端部を柄に設けられた保持部に柄長手方向に沿う姿勢で保持させることにより、洗浄具全体をコンパクトな状態で簡便に格納することができる。
【００２２】
本発明による第８の特徴構成は、前記柄における第２洗浄部の位置調整領域と把持部との間に位置する部位が、径方向外方側に向かって互いに逆向きに二度屈曲形成され、前記把持部が、径方向外方に偏心した位置において第２洗浄部の位置調節軸芯と略平行な軸芯又は位置調節軸芯に対して傾斜する軸芯周りで回転自在に構成されているとともに、前記柄における把持部よりも先端側の部位には、前記把持部を把持した側の手指で掛止可能な指掛け部が設けられている点にある。
【００２３】
上記構成によれば、前記第１洗浄部及び第２洗浄部を回転させて容器の内外周面を洗浄する際、前記柄の把持部を、第２洗浄部の位置調節軸芯に対して径方向外方に偏芯し、かつ、位置調節軸芯と略平行な軸芯又は位置調節軸芯に対して傾斜する軸芯周りで回転操作するから、小さな操作力でスムーズに回転操作することができる。それでいて、前記第１洗浄部及び第２洗浄部を容器軸芯方向（柄長手方向）に押し引き操作する場合には、前記柄における把持部よりも先端側の部位に設けられた指掛け部を、前記把持部を把持した側の手指で掛止することにより、把持部との相対回転を阻止した一体化状態で取り扱うことができ、洗浄具の押し引き操作を容易に行うことができる。
【００２４】
本発明による第９の構成は、前記第２洗浄部が、前記保持部に保持された第１洗浄部の洗浄部分を受止め可能な受け部に構成されている点にある。
【００２５】
上記構成によれば、取り外された第１洗浄部の基端部を柄に設けられた保持部に柄長手方向に沿う姿勢で保持する際、柄に対して径方向外方に張り出し状態にある第２洗浄部を利用して、前記第１洗浄部の洗浄部分を安定良く受止めることができる。
【図面の簡単な説明】
【００２６】
【図１】本発明の洗浄具の第１実施形態を示す使用時の斜視図である。
【図２】第１実施形態での使用状態を示す洗浄具全体の側面図である。
【図３】第１実施形態での格納状態を示す洗浄具全体の側面図である。
【図４】第１実施形態での使用状態（ａ）と格納状態（ｂ）における洗浄具の要部の縦断面図である。
【図５】図４（ａ）におけるＶ−Ｖ線拡大断面図である。
【図６】図４（ｂ）におけるＶＩ−ＶＩ線拡大断面図である。
【図７】第１実施形態での洗浄具を押し引き操作するときの洗浄具全体の斜視図である。
【図８】第１実施形態での第２洗浄ブラシの取付け位置調節操作を示す洗浄具全体の斜視図である。
【図９】本発明の洗浄具の第２実施形態を示す洗浄具の全体の側面図である。
【図１０】本発明の洗浄具の第３実施形態を示す洗浄具の全体の側面図である。
【図１１】第３実施形態での洗浄具の要部の縦断面図である。
【図１２】第３実施形態での洗浄具の要部の拡大縦断面図である。
【図１３】第３実施形態での洗浄具の要部の拡大横断面図である。
【図１４】本発明の洗浄具の第４実施形態を示す洗浄具の要部の縦断面図である。
【図１５】本発明の洗浄具の第５実施形態を示す洗浄具の要部の拡大縦断面である。
【発明を実施するための形態】
【００２７】
〔第１実施形態〕
図１〜図８は、哺乳瓶や水筒等の容器１の内周面と外周面における口部１Ａ側とを同時に洗浄可能な洗浄具を示し、基端側に把持部となるグリップ２を備えた柄Ｈの先端部に、容器１の内周面を洗浄可能な第１洗浄部の一例である長尺な第１洗浄ブラシ３が設けられ、前記柄Ｈの中間部には、容器１の外周面における洗浄対象部位となる口部１Ａ側を洗浄可能な第２洗浄部の一例である短尺な第２洗浄ブラシ４が設けられているとともに、前記第１洗浄ブラシ３に対する第２洗浄ブラシ４の取付け位置を柄長手方向に沿って調節可能な位置調節手段Ａが設けられている。
【００２８】
前記柄Ｈは、第１洗浄ブラシ３及び第２洗浄ブラシ４を装備する合成樹脂製の柄本体５と、この柄本体５の基端部に回転自在に装着される合成樹脂製のグリップ２とから構成され、前記柄本体５の基端部には、グリップ２の連結孔２ａに対して無理嵌め状態で回転のみ自在に挿嵌される嵌合連結突起５Ｃが一体形成されているとともに、前記柄本体５における第２洗浄ブラシ４の位置調整領域Ｗと嵌合連結突起５Ｃとの間に位置する部位が、容器１の口径方向となる径方向の外方側に向かって互いに逆向きに二度屈曲形成され、前記グリップ２が、径方向外方に偏心した位置において第２洗浄ブラシ４の位置調節軸芯（位置調整領域Ｗにおける柄長手方向軸芯）Ｘに対して基端側ほど近づく傾斜軸芯Ｙ周り姿勢で回転自在に構成されている。
【００２９】
前記柄本体５における第１屈曲部５ａよりも先端側に位置する横断面が円形の軸状柄部５Ａの先端部と第１洗浄ブラシ３の基端部との間には、柄本体５に対して第１洗浄ブラシ３を脱着自在に連結する連結手段Ｂが設けられ、前記柄本体５の基端部には、取り外された第１洗浄ブラシ３の基端部を柄長手方向に沿う姿勢で脱着自在に保持する保持部６が設けられているとともに、前記柄本体５の第１屈曲部５ａと第２屈曲部５ｂとの間に位置する傾斜柄部５Ｂには、前記グリップ２を把持した側の手指で掛止可能な指掛け部７が設けられている。
【００３０】
前記第１洗浄ブラシ３は、多数のブラシ毛３ａを挾持固定してある捻り線材３Ａの基端部に、前記軸状柄部５Ａの先端部に形成された連結穴９に対して脱着自在に嵌合する合成樹脂製の連結軸部３Ｂを固着して構成されている。
【００３１】
前記第２洗浄ブラシ４は、前記柄本体５の軸状柄部５Ａの先端側から位置調節軸芯Ｘ方向に沿って摺動操作自在に外嵌される筒状の摺動保持部４Ａに、前記軸状柄部５Ａの軸芯である位置調節軸芯Ｘと平行に位置する植毛面４ｂに多数のブラシ毛４ａを植毛してある略への字状の脚部４Ｂを一体形成して構成されている。
【００３２】
前記位置調節手段Ａを構成するに、前記柄本体５の軸状柄部５Ａの外周面における左右の両側面、つまり、位置調節軸芯Ｘに対して水平の直交方向で対応する両側面の各々に、第２洗浄ブラシ４の位置調整領域Ｗに相当する長さで位置調節軸芯Ｘ方向に沿って横断面が略半弧状の摺動ガイド溝１０が窪み形成され、前記各摺動ガイド溝１０には、第２洗浄ブラシ４の摺動保持部４Ａの内周面に形成された半球状又は三角錐状若しくはそれらに近い形状の係合突起１１が径方向外方側から係合する半球状又は三角錐状若しくはそれらに近い形状の係合凹部１２が、位置調節軸芯Ｘ方向に沿って一定ピッチで窪み形成されている。
【００３３】
さらに、前記第２洗浄ブラシ４の摺動保持部４Ａには、位置調節軸芯Ｘ方向での摺動操作に連れて少なくとも前記係合突起１１が係合凹部１２から離脱移動可能な径方向外方位置にまでの弾性復元力に抗した拡径変形を許すべく、その周方向の一箇所で切断分離するスリット状の切込み１３が形成され、この切込み１３と係合突起１１及び係合凹部１２とをもって、前記第２洗浄ブラシ４を柄長手方向の複数位置で選択的に係合保持可能な係合部８が構成されている。
【００３４】
そして、前記第２洗浄ブラシ４の摺動保持部４Ａを柄本体５の軸状柄部５Ａに沿って摺動操作して、第１洗浄ブラシ３の洗浄作用部であるブラシ毛３ａ群と第２洗浄ブラシ４の洗浄作用部であるブラシ毛４ａ群との柄長手方向での相対取付け位置を調節することにより、深さが異なる容器１であっても、第１洗浄ブラシ３のブラシ毛３ａ群で容器１の洗浄対象内周面を確実に洗浄しながら、第２洗浄ブラシ４のブラシ毛４ａ群で容器１の外周面における口部側の洗浄対象部位を確実に洗浄することができる。
【００３５】
それ故に、第１・第２洗浄ブラシ３，４によって深さの異なる複数種類の容器１の内周面の洗浄対象部位及び外周面の口部１Ａ側における洗浄対象部位を確実、良好に洗浄することができるものでありながら、第２洗浄ブラシ４を極力短くして洗浄時や保管時の取り扱いの容易化を図ることができる。
【００３６】
しかも、前記柄本体５の軸状柄部５Ａに形成された摺動ガイド溝１０の係合凹部１２に対して第２洗浄ブラシ４の摺動保持部４Ａに形成された係合突起１１が選択的に係合することにより、洗浄対象の容器１の深さ、形状等に応じて第１洗浄ブラシ３に対する第２洗浄ブラシ４の取付け位置を柄長手方向に沿って複数段に調節することができるとともに、その各調整位置で第２洗浄ブラシ４を係止保持することができるから、洗浄時における第２洗浄ブラシ４の柄長手方向での位置ずれを抑制することができる。
【００３７】
前記連結手段Ｂを構成するに、前記柄本体５の軸状柄部５Ａにおける連結穴９の形成領域内の特定部位には、前記連結穴９に対して径方向から連通する係合孔１５が貫通形成されているとともに、前記第１洗浄ブラシ３の連結軸部３Ｂには、当該連結軸部３Ｂが柄本体５の連結穴９に所定装着状態に嵌合されたとき、前記係合孔１５に対して径方向内方から係合する半球状の係合突起１６が形成されている。
【００３８】
さらに、前記第１洗浄ブラシ３の連結軸部３Ｂには、前記係合孔１５に係合状態にある係合突起１６を径方向外方から係合解除位置に押し込み操作するべく、当該係合突起１６の弾性復元力に抗しての径方向内方への弾性変位操作を許容するための中空部１７が切欠き形成されている。
【００３９】
前記保持部６には、第１洗浄ブラシ３の基端部である連結軸部３Ｂの先端側部位の外径と同径の内周面を有するＣの字状で、かつ、前記連結軸部３Ｂを脱着自在に挾持保持する挾持凹部６ａが形成され、この挾持凹部６ａの内面には、前記連結軸部３Ｂの挾持相当部位に形成された環状溝３ｂに径方向から嵌合して、保持部６に対する連結軸部３Ｂの柄長手方向での移動を阻止する位置決め突起６ｂが形成されている。
【００４０】
そして、非使用時には、前記柄本体５の軸状柄部５Ａの先端部から取り外された第１洗浄ブラシ３の連結軸部３Ｂを、柄本体５の基部に位置する保持部６の挾持凹部６ａに柄長手方向に沿う姿勢で挾持装着することにより、洗浄具全体をコンパクトな状態で簡便に格納することができる。
【００４１】
しかも、この格納状態では、前記挾持凹部６ａの内面側の位置決め突起６ｂが前記連結軸部３Ｂの挾持相当部位に形成された環状溝３ｂに径方向から嵌合しているため、保持された第１洗浄ブラシ３が柄長手方向にずれ動くことがない。
【００４２】
前記保持部６の挾持凹部６ａに第１洗浄ブラシ３の連結軸部３Ｂを挾持装着した状態では、該第１洗浄ブラシ３のブラシ毛３ａ群が柄長手方向に姿勢して前記第２洗浄ブラシ４の脚部４Ｂ及び指掛け部７に接触し、第１洗浄ブラシ３の姿勢が保持部６と第２洗浄ブラシ４の脚部４Ｂ及び指掛け部７との三点で支持される。
【００４３】
つまり、前記第２洗浄ブラシ４の脚部４Ｂと指掛け部７は、前記保持部６に保持された第１洗浄ブラシ３の洗浄部分であるブラシ毛３ａ群を補助的に受止め可能な受け部に兼用構成されている。
【００４４】
前記指掛け部７の指掛け面７ａは、前記柄本体５の軸状柄部５Ａと傾斜柄部５Ｂとの境界位置に連続する状態で半円弧状に形成されているとともに、前記保持部６が、前記グリップ２を把持した側の手指で指掛け部７の指掛け面７ａを掛止したとき、親指と人差指との付け根相当箇所に当接可能な当り部に兼用構成されている。
【００４５】
そして、前記第１洗浄ブラシ３及び第２洗浄ブラシ４を回転させて容器１の内外周面を洗浄する際、前記柄Ｈのグリップ２が第２洗浄部の位置調節軸芯Ｘに対して径方向外方に偏芯し、かつ、位置調節軸芯Ｘに対して緩い傾きの傾斜軸芯Ｙ周りで回転操作自在であるから、小さな操作力でスムーズに回転操作することができる。それでいて、前記第１洗浄ブラシ３及び第２洗浄ブラシ４を容器１の軸芯方向（柄長手方向）に押し引き操作する場合には、前記グリップ２を把持した側の手指を柄本体５の基端部側に位置する指掛け部７に掛止することにより、柄本体５とグリップ２との相対回転を阻止した一体化状態で取り扱うことができ、洗浄具の押し引き操作を容易に行うことができる。
【００４６】
〔第２実施形態〕
図９は、洗浄具の第１・第２洗浄部３，４の別実施形態を示し、前記第１洗浄部３は、
前記柄本体５の軸状柄部５Ａの先端部に形成された連結穴９（第４図参照）に対して脱着自在に嵌合する連結軸部３Ｂにスポンジたわし３Ｃを固着して構成されている。
【００４７】
前記第２洗浄部の一例である第２洗浄ブラシ４は、前記柄本体５の軸状柄部５Ａに沿って摺動操作自在に外嵌される筒状の摺動保持部４Ａに、略への字状の脚部４Ｂを一体形成するとともに、この脚部４Ｂの先端部に、多数のブラシ毛３ａ群を円柱形状に挾持固定してある捻り線材４Ｄの基端部を固着して構成されている。
【００４８】
前記第２洗浄ブラシ４の捻り線材４Ｄの撓み変形により、前記第２洗浄ブラシ４を柄本体５の軸状柄部５Ａに対する第２洗浄ブラシ４の向き姿勢を起伏変更する起伏操作手段Ｄを構成してもよい。
【００４９】
尚、その他の構成は、第１実施形態で説明した構成と同一であるから、同一の構成箇所には、第１実施形態と同一の番号を付記してそれの説明は省略する。
上述の第２実施形態の変形として、前記第２洗浄ブラシ４の捻り線材４Ｄの基端部を、前記脚部４Ｂの先端部に対して回転自在に取付けてもよい。
また、前記第２洗浄ブラシ４の捻り線材４Ｄの基端部を、前記脚部４Ｂの先端部に対して回転方向の複数位置で選択的に固定可能に構成してもよい。
さらに、前記第２洗浄ブラシ４の脚部４Ｂの先端部に対して捻り線材４Ｄの基端部を差し替え操作することにより、前記脚部４Ｂの先端部に対して回転方向の複数位置で選択的に固定可能に構成してもよい。
【００５０】
〔第３実施形態〕
図１０〜図１３は、上述の第１実施形態で説明した洗浄具において、前記位置調節手段Ａに、前記第２洗浄ブラシ４を柄本体５の軸状柄部５Ａに対して回動操作自在に支持し、且つ、その回動方向の複数位置で選択的に係合保持可能な回動操作手段Ｃが設けられ、さらに、前記第２洗浄ブラシ４を柄本体５の軸状柄部５Ａに対する第２洗浄ブラシ４の向き姿勢を起伏操作によって変更する起伏操作手段Ｄが付加された第３実施形態を示す。
【００５１】
前記回動操作手段Ｃを構成するに、前記柄本体５の軸状柄部５Ａにおける外周面の周方向複数箇所で、且つ、後述の係合突起２１の形成数（当該第３実施形態では３箇所）よりも＋１以上の複数箇所（当該第３実施形態では８箇所）又は係合突起２１の形成数の整数倍となる複数箇所に、第２洗浄ブラシ４の位置調整領域Ｗに相当する長さで位置調節軸芯Ｘ方向に沿って横断面が略半弧状の摺動ガイド溝２０が窪み形成され、前記第２洗浄ブラシ４の摺動保持部４Ａの内周面には、前記摺動ガイド溝２０に選択的に係合可能な三つの半円柱状の係合突起２１が一体形成されているとともに、前記第２洗浄ブラシ４の摺動保持部４Ａには、位置調節軸芯Ｘ周りでの回動操作に連れて少なくとも前記係合突起２１が摺動ガイド溝２０を乗り越え移動可能な径方向外方位置にまでの弾性復元力に抗した拡径変形を許容すべく、その周方向の一箇所で切断分離するスリット状の切込み２２が形成されている。
【００５２】
そして、容器１の外周面における口部１Ａ側の特定洗浄対象部位を容器軸芯方向（柄長手方向）に沿って洗浄する場合、柄Ｈのグリップ２は最も押し引き操作し易い姿勢に、且つ、容器１は最も安定保持し易い姿勢に夫々維持しながらも、前記回動操作手段Ｃによって第２洗浄ブラシ４を特定洗浄対象部位に確実、容易に当て付けることができるとともに、洗浄時における第２洗浄ブラシ４の回動方向での位置ずれも抑制することができる。
【００５３】
前記位置調節手段Ａを構成するに、前記各摺動ガイド溝２０に、第２洗浄ブラシ４の係合突起２１に形成した第２係合突起２３が径方向外方側から係合する係合凹部２４が、位置調節軸芯Ｘ方向に沿って一定ピッチで窪み形成されている。
【００５４】
前記起伏操作手段Ｄを構成するに、前記第２洗浄ブラシ４の脚部４Ｂの屈曲部分の複数箇所に、その屈曲部分を起点とする柄本体５の軸状柄部５Ａから離間する径方向外方側への弾性変形を許容する切込み２６が形成されている。
【００５５】
そして、容器１の外周面における口部１Ａから肩部１Ｂ（図１参照）までの距離が短く、且つ、肩部１Ｂが傾斜又は湾曲している場合でも、前記起伏操作手段Ｄの切込み２６によって第２洗浄ブラシ４の脚部４Ｂを容器１の肩部１Ｂにおける傾斜肩部又は湾曲肩部に沿って傾けることができるから、洗浄可能な容器１の対象範囲を拡大することができる。
【００５６】
尚、その他の構成は、第１実施形態で説明した構成と同一であるから、同一の構成箇所には、第１実施形態と同一の番号を付記してそれの説明は省略する。
また、前記第３実施形態における起伏操作手段Ｄの変形として、前記第２洗浄ブラシ４の脚部４Ｂを、前記柄本体５の軸状柄部５Ａに沿って摺動可能な摺動保持部４Ａに対して柄長手方向に直交する横軸芯周りで揺動自在に枢着するとともに、その枢着部に、前記摺動保持部４Ａに対して脚部４Ｂを揺動範囲の複数位置で選択的に係止する係止機構を設けて構成してもよい。
【００５７】
〔第４実施形態〕
図１４は、上述の第１実施形態で説明した洗浄具において、前記柄本体５（第１洗浄ブラシ３）に対する第２洗浄ブラシ４の取付け位置を柄長手方向に沿って調節可能な前記位置調節手段Ａを第１位置調節手段とすると、前記柄本体５（第２洗浄ブラシ４）に対する第１洗浄ブラシ３の取付け位置を柄長手方向に沿って調節可能な第２位置調節手段Ａが付加された第４実施形態を示す。
【００５８】
前記第２位置調節手段Ａを構成するに、前記連結手段Ｂを構成する係合孔１５を、柄本体５の軸状柄部５Ａにおける連結穴９の形成領域内の柄長手方向複数箇所に形成し、この複数の係合孔１５に対して前記第１洗浄ブラシ３の連結軸部３Ｂに設けた係合突起１６を選択的に係合させることにより、第１洗浄ブラシ３の洗浄作用部であるブラシ毛３ａ群と第２洗浄ブラシ４の洗浄作用部であるブラシ毛４ａ群との柄長手方向での相対取付け位置を調節するように構成されている。
【００５９】
前記柄本体５の複数の係合孔１５と第１洗浄ブラシ３の係合突起１６及び第１洗浄ブラシ３の連結軸部３Ｂに形成した中空部１７とをもって、前記第１洗浄ブラシ３を柄長手方向の複数位置で選択的に係合保持可能な係合部１４が構成されている。
【００６０】
尚、その他の構成は、第１実施形態で説明した構成と同一であるから、同一の構成箇所には、第１実施形態と同一の番号を付記してそれの説明は省略する。
また、この第４実施形態では、前記柄本体５（第１洗浄ブラシ３）に対する第２洗浄ブラシ４の取付け位置を柄長手方向に沿って調節可能な第１位置調節手段Ａと、前記柄本体５（第２洗浄ブラシ４）に対する第１洗浄ブラシ３の取付け位置を柄長手方向に沿って調節可能な第２位置調節手段Ａとを設けたが、前記第２位置調節手段Ａのみを設けて実施してもよい。
【００６１】
〔第５実施形態〕
図１５は、上述の第１実施形態で説明した洗浄具において、前記第２洗浄ブラシ４を柄Ｈに対して容器１の口径方向となる径方向に位置変更自在に支持する径方向位置変更手段Ｅが付加された第５実施形態を示す。
【００６２】
前記径方向位置変更手段Ｅを構成するに、前記第２洗浄ブラシ４の脚部４Ｂを、柄本体５の軸状柄部５Ａに外嵌される摺動保持部４Ａ側に一体形成される筒状脚体４Ｅと、該筒状脚体４Ｅに対して径方向から伸縮自在に嵌合されるブラシ毛４ａ側の可動脚体４Ｆとに分割構成し、前記筒状脚体４Ｅの径方向複数箇所には、前記可動脚体４Ｆに突出形成された係合突起３１が選択的に係合可能な係合孔３２を形成するとともに、前記可動脚体４Ｆには、前記係合孔３２に係合状態にある係合突起３１を径方向外方から係合解除位置に押し込み操作するべく、当該係合突起３１の弾性復元力に抗しての径方向内方への弾性変位操作を許容するための中空部３３が切欠き形成されている。
【００６３】
尚、その他の構成は、第１実施形態で説明した構成と同一であるから、同一の構成箇所には、第１実施形態と同一の番号を付記してそれの説明は省略する。
また、この第５実施形態では、前記筒状脚体４Ｅに対して可動脚体４Ｆを径方向の複数位置で選択的に係合保持するように構成したが、この可動脚体４Ｆを径方向の任意の位置で固定保持できるように構成してもよい。
【００６４】
〔その他の実施形態〕
（１）上述の各実施形態では、前記第１・第２洗浄部３，４として、ブラシ毛３ａ，４ａを備えた第１・第２洗浄ブラシやスポンジたわしから構成したが、不織布等の他の洗浄体から構成してもよい。
【００６５】
（２）上述の各実施形態では、前記第２洗浄部４である第２洗浄ブラシを、容器１の外周面における口部１Ａ側を洗浄可能な比較的短尺な長さに構成したが、容器１の外周面における口部１Ａから肩部１Ｂにかけての領域又は肩部から胴部の一部にかけての領域を同時に洗浄可能な長さに構成してもよい。
【００６６】
（３）上述の実施形態では、前記第１洗浄部３である第１洗浄ブラシ又は前記第２洗浄部４である第２洗浄ブラシ若しくは第１・第２洗浄ブラシ３，４を柄長手方向の複数位置で選択的に係合保持可能に構成したが、前記第１洗浄ブラシ３又は第２洗浄ブラシ４若しくは第１・第２洗浄ブラシ３，４を柄長手方向の任意の位置で固定保持できるように構成してもよい。
【００６７】
（４）上述の各実施形態では、前記グリップ２を、径方向外方に偏心した位置において第２洗浄ブラシ４の位置調節軸芯（位置調整領域Ｗにおける柄長手方向軸芯）Ｘに対して基端側ほど近づく傾斜軸芯Ｙ周り姿勢で回転操作自在に構成したが、このグリップ２を、径方向外方に偏心した位置において第２洗浄ブラシ４の位置調節軸芯Ｘと平行又は略平行な軸芯周りで回転操作自在に構成してもよい。
【符号の説明】
【００６８】
Ａ        位置調節手段
Ｂ        連結手段
Ｃ        回動操作手段
Ｄ        起伏操作手段
Ｅ        径方向位置変更手段
Ｈ        柄
Ｗ        位置調整領域
Ｘ        位置調節軸芯
Ｙ        傾斜軸芯
１        容器
２        把持部（グリップ）
３        第１洗浄部（第１洗浄ブラシ）
３Ｂ      基端部（連結軸部）
４        第２洗浄部（第２洗浄ブラシ）
６        保持部
７        指掛け部
８        係合部
【図１】
2010178844.tif 000003
【図２】
2010178844.tif 000004
【図３】
2010178844.tif 000005
【図４】
2010178844.tif 000006
【図５】
2010178844.tif 000007
【図６】
2010178844.tif 000008
【図７】
2010178844.tif 000009
【図８】
2010178844.tif 000010
【図９】
2010178844.tif 000011
【図１０】
2010178844.tif 000012
【図１１】
2010178844.tif 000013
【図１２】
2010178844.tif 000014
【図１３】
2010178844.tif 000015
【図１４】
2010178844.tif 000016
【図１５】
2010178844.tif 000017